(57)【要約】  【課題】  サンバイザーから脱落してしまうことを抑制できるサンバイザー取付用ユニットを提供する。  【解決手段】  サンバイザー取付ユニット１は、三面鏡１１と、三面鏡１１に取り付けられる２本のバンド１３と、バンド１３に取り付けられるストッパー１５と、を備える。バンド１３は、伸縮性を有するものであって、その両端が三面鏡１１の上下方向の端部に固定されている。このバンド１３をサンバイザー３に巻きつけることによってサンバイザー３に三面鏡１１が取り付けられる。ストッパー１５は樹脂製の板状の部材であって、サンバイザー３を挟み込み、ストッパー１５とサンバイザー３との間に配置されたバンド１３をサンバイザー３側に押し付ける。【選択図】図１
0003170387.tif 000002
【実用新案登録請求の範囲】
【請求項１】
本体部と、
両端が前記本体部に取り付けられる伸縮性を有するバンドと、を備え、
前記バンドを車両に設けられているサンバイザーに巻きつけることにより前記本体部を前記サンバイザーに取り付ける
ことを特徴とするサンバイザー取付用ユニット。
【請求項２】
前記サンバイザーに巻きつけられている前記バンドを前記サンバイザーに押し付ける押圧部材を備える
ことを特徴とする請求項１に記載のサンバイザー取付用ユニット。
【請求項３】
前記押圧部材は、第１押圧部および第２押圧部と、前記第１押圧部と前記第２押圧部とを連結する連結部と、を有し、前記第１押圧部および前記第２押圧部によって前記サンバイザーを挟み込むように構成されており、
前記第１押圧部および前記第２押圧部の少なくともいずれか一方は、当該一方と前記サンバイザーとの間に前記バンドを配置した状態で前記サンバイザーを挟み込むように構成されている
ことを特徴とする請求項２に記載のサンバイザー取付用ユニット。
【請求項４】
前記押圧部材は、板状の部材である
ことを特徴とする請求項３に記載のサンバイザー取付用ユニット。
【請求項５】
前記押圧部材は、前記バンドを挿通可能な挿通穴が形成されている
ことを特徴とする請求項４に記載のサンバイザー取付用ユニット。
【請求項６】
前記押圧部材は、板の端部から前記挿通穴に繋がるスリットが形成されている
ことを特徴とする請求項５に記載のサンバイザー取付用ユニット。
【請求項７】
前記バンドの長手方向に間隔を空けて固定可能である２つの部材からなり、互いに連結する連結状態と、連結が解除された解除状態と、に遷移可能に構成されてなる連結部材を備える
ことを特徴とする請求項１に記載のサンバイザー取付用ユニット。
【請求項８】
前記本体部には、間隔を空けて２つの前記バンドが取り付けられており、
前記２つのバンドそれぞれに係合して、当該２つのバンドの間隔を狭める係合部材を備える
ことを特徴とする請求項１に記載のサンバイザー取付用ユニット。
【請求項９】
前記本体部は、三面鏡である
ことを特徴とする請求項１から請求項８のいずれか１項に記載のサンバイザー取付用ユニット。
【考案の詳細な説明】
【技術分野】
【０００１】
本考案は、サンバイザーに取り付けて用いるサンバイザー取付用ユニットに関する。
【背景技術】
【０００２】
乗用車等の車両には、太陽光等の強い光から運転者の目を防護して運転を安全に行うための日除けであるサンバイザーが設けられている。このサンバイザーは、運転席や助手席の搭乗者から操作しやすい位置にあるため、そこに小物を取り付けておけばすぐに扱うことができ便利である。
【０００３】
従来、サンバイザーに取り付ける対象物である本体部（付属ユニット）を、フックあるいはクリップを用いてサンバイザーに取り付ける技術が提案されている（特許文献１参照）。
【先行技術文献】
【特許文献】
【０００４】
【特許文献１】特開平９−３９５６７号公報
【考案の概要】
【考案が解決しようとする課題】
【０００５】
車両のサンバイザーは使用の際に手で操作するものであるため、引用文献１のようにフックやクリップを用いて本体部をサンバイザーに取り付けていると、それらが外れた時点で本体部が脱落してしまう。
【０００６】
本考案の目的は、サンバイザーから脱落してしまうことを抑制できるサンバイザー取付用ユニットを提供することである。
【課題を解決するための手段】
【０００７】
上述した問題を解決するためになされた請求項１に記載の考案は、本体部と、両端が前記本体部に取り付けられる伸縮性を有するバンドと、を備え、前記バンドを車両に設けられているサンバイザーに巻きつけることにより前記本体部を前記サンバイザーに取り付けることを特徴とするサンバイザー取付用ユニットである。本体部としては様々なものを用いることができるが、例えば三面鏡とすることが考えられる。
【０００８】
本考案のサンバイザー取付用ユニットは、バンドをサンバイザーに巻きつけることによってサンバイザーに取り付けられており、サンバイザーから取り外すためにはバンドをサンバイザーから抜き取る必要がある。そのため、フックやクリップなどで本体部が固定されているものと比較して、搭乗者の手が当たったときなど本体部やバンドに少々の荷重が加えられても、バンドがサンバイザーから抜き取られた状態となりにくいので、本体部、即ちサンバイザー取付用ユニットはサンバイザーから脱落しにくい。
【０００９】
よって、本考案のサンバイザー取付用ユニットは、サンバイザーから脱落してしまうことを抑制できる。
また、請求項１のサンバイザー取付用ユニットをさらに、前記サンバイザーに巻きつけられている前記バンドを前記サンバイザーに押し付ける押圧部材を備えるように構成してもよい。
【００１０】
このように構成されたサンバイザー取付用ユニットは、バンドとサンバイザーとの間の摩擦力を高めることができ、サンバイザーからの脱落をさらに抑制できる。また、摩擦力が高められることにより、本体部がサンバイザー上でずれることも抑制できる。
【００１１】
上記押圧部材の構成は特に限定されるものではないが、例えば、押圧部材は第１押圧部および第２押圧部と、前記第１押圧部と前記第２押圧部とを連結する連結部と、を有するものであって、前記第１押圧部および前記第２押圧部によって前記サンバイザーを挟み込むように構成されており、前記第１押圧部および前記第２押圧部の少なくともいずれか一方が、当該一方と前記サンバイザーとの間に前記バンドを配置した状態で前記サンバイザーを挟み込むように構成されていてもよい。
【００１２】
このように構成されたサンバイザー取付用ユニットでは、押圧部材がサンバイザーを挟み込むように構成されているため、第１押圧部または第２押圧部とサンバイザーとの間に配置されたバンドを強くサンバイザーに押し付けることができるうえ、押圧部材がサンバイザーから脱落しにくく都合がよい。
【００１３】
上記押圧部材は、板状の部材とすることができる。その場合には、押圧部材に前記バンドを挿通可能な挿通穴が形成されていてもよく、さらに押圧部材の板の端部から前記挿通穴に繋がるスリットが形成されていてもよい。
【００１４】
押圧部材の挿通穴にバンドを挿通することで、押圧部材がバンドから（即ちサンバイザーから）脱落しにくくなるため、押圧部材が脱落してしまいバンドのサンバイザーへの押し付けができなくなることを抑制できる。
【００１５】
また、バンドは伸縮性であるため、押圧部材がなくともサンバイザーを締め付けるように作用するが、挿通穴にバンドが挿通された状態では、バンドは押圧部材の挿通穴の周囲における一部をサンバイザーに向けて押し付けることとなり、それによっても押圧部材がサンバイザーから脱落することを抑制できる。
【００１６】
また、請求項１のサンバイザー取付用ユニットをさらに、前記バンドの長手方向に間隔を空けて固定可能である２つの部材からなり、互いに連結する連結状態と、連結が解除された解除状態と、に遷移可能に構成されてなる連結部材を備えるように構成してもよい。
【００１７】
このように構成されたサンバイザー取付用ユニットでは、連結部材を連結状態とすることで、２つの連結部材の間に存在するバンドの長さ分、短くなったバンドがサンバイザーに巻きつけられるため、バンドの締め付けをきつくすることができ、それによって本体部の脱落やずれの発生を抑制することができる。
【００１８】
また、請求項１のサンバイザー取付用ユニットは、前記本体部に間隔を空けて２つの前記バンドが取り付けられており、前記２つのバンドそれぞれに係合して、当該２つのバンドの間隔を狭める係合部材を備えるように構成されていてもよい。
【００１９】
このように構成されたサンバイザー取付用ユニットでは、係合部材がサンバイザーに巻きついている２つのバンドの間隔を狭めるように引っ張ることで、バンドの締め付けをきつくすることができ、それによって本体部の脱落やずれの発生を抑制することができる。
【図面の簡単な説明】
【００２０】
【図１】実施例１のサンバイザー取付用ユニットを示す斜視図であって、サンバイザーの表側から見た図（Ａ），および裏側から見た図（Ｂ）
【図２】実施例１のサンバイザー取付用ユニットを示す上面図（Ａ），正面図（Ｂ），および背面図（Ｃ）
【図３】実施例１のストッパーを示す正面図（Ａ），側面図（Ｂ），および斜視図（Ｃ）
【図４】実施例１のサンバイザー取付用ユニットを示す側面図（Ａ），（Ｂ）
【図５】変形例のストッパーを示す斜視図
【図６】実施例２のサンバイザー取付用ユニットを示す斜視図（Ａ），および側面図（Ｂ）
【図７】実施例２のストッパーを示す正面図（Ａ），側面図（Ｂ），および斜視図（Ｃ）
【図８】変形例のストッパーを示す斜視図
【図９】実施例３のサンバイザー取付用ユニットを示す斜視図
【図１０】実施例４のサンバイザー取付用ユニットを示す斜視図
【考案を実施するための形態】
【００２１】
以下に本考案の実施形態を図面と共に説明する。
［実施例１］
本実施例のサンバイザー取付ユニット１は、車両のサンバイザー３に対して着脱自在に取り付けられるものであり、図１（Ａ），（Ｂ）および図２（Ａ）〜（Ｃ）に示すように、三面鏡１１と、三面鏡１１に取り付けられる２本のバンド１３と、バンド１３に取り付けられるストッパー１５と、を備える。
【００２２】
サンバイザー３は、厚みのある板状であって、車両に搭載して用いられる一般的なサンバイザーである。
三面鏡１１は、中央鏡２１と、ヒンジ２５によって開閉可能に連結している２つの側面鏡２３と、からなる。２つの側面鏡２３は、鏡を閉じた状態で先端が係合して閉じた状態を維持するように構成されている。なおこの三面鏡１１が、本考案における本体部に対応する。
【００２３】
バンド１３は、伸縮性を有するものであって、その両端が三面鏡１１の上下方向の端部に固定されている。このバンド１３をサンバイザー３に巻きつけることによってサンバイザー３に三面鏡１１が取り付けられる。このようにバンド１３によってサンバイザー３に取り付けられているため、三面鏡１１やバンド１３に手が触れて荷重が加えられてもバンド１３がサンバイザー３から抜き取られるということは生じにくく、三面鏡１１がサンバイザー３から脱落しにくくなっている。
【００２４】
ストッパー１５は樹脂製の板状の部材であって、図３（Ａ）〜（Ｃ）に示すように、上面部３１と、背面部３３と、正面部３５と、を有する。背面部３３と正面部３５とは上面部３１によって連結されており、上面部３１における互いに反対側の端部から同じ方向（図３（Ｂ）においては下方向）に延び出すような形状となっている。
【００２５】
なお、ストッパー１５が本考案における押圧部材に対応する。また背面部３３および正面部３５が、本考案における第１押圧部および第２押圧部に対応し、上面部３１が本考案における連結部に対応する。
【００２６】
上面部３１と背面部３３とのなす角度は、直角よりもやや小さくなっており、本実施例では３°正面部３５側に傾いて約８７°である。また上面部３１と正面部３５とのなす角度はほぼ直角である。
【００２７】
上面部３１は、その長さがサンバイザー３の厚さよりもやや短くなるように形成されている。また背面部３３の先端付近には正面部３５側に突出する背面突出部３７が形成されており、正面部３５の先端には背面部３３側に突出する正面突出部３９が形成されている。
【００２８】
ストッパー１５を取り付けた状態の側面図を図４（Ａ）に示す。ストッパー１５は、サンバイザー３を表側（三面鏡１１が取り付けられている側）および裏側から挟み込み、サンバイザー３の表側および裏側に位置する、ストッパー１５とサンバイザー３との間に配置されたバンド１３をサンバイザー３側に押し付ける。そのためバンド１３とサンバイザー３との間の摩擦力が高まり、バンド１３がサンバイザー３からずれにくくなる。その結果、三面鏡１１がサンバイザー３から脱落することをさらに抑制でき、また三面鏡１１が予め取り付けた位置からずれることを抑制できる。
【００２９】
また図４（Ｂ）に示すようなストッパー１５を取り付ける前の状態と比較すると、サンバイザー３の表側において正面部３５に押圧されたバンド１３はサンバイザー３に押し付けられる部分が増加しており、サンバイザー３とバンド１３との摩擦力が増加する。また、バンド１３をサンバイザー３側に押し込むことによってバンド１３を伸ばしているため、バンド１３によるサンバイザー３の締め付けが強くなる。このような理由により、さらに三面鏡１１の脱落および位置ずれが抑制される。
【００３０】
なお、上面部３１はサンバイザー３の厚さよりもやや短く形成されており、また上面部３１と背面部３３とのなす角度が直角よりもやや小さいことから、背面部３３と正面部３５によってサンバイザー３を強く挟み込むことができる。
【００３１】
また、背面突出部３７および正面突出部３９がバンド１３やサンバイザー３に押し当てられて引っかかるため、ストッパー１５がサンバイザー３から外れたり位置がずれたりすることを抑制できる。
【００３２】
なお、本実施例においては、ストッパー１５が２つのバンド１３の一方を押さえつける構成を例示したが、ストッパー１５を２つ用いて、両方のバンド１３を押さえつける構成であってもよい。
【００３３】
また、図５に示すように、２つのバンド１３を幅広のストッパー４１を用いて同時に押さえつけるように構成してもよい。
［実施例２］
本実施例のサンバイザー取付ユニット４５は、実施例１のサンバイザー取付ユニット１と比較してストッパーの構成が相違する。実施例２のサンバイザー取付ユニット４５をサンバイザー３に取り付けた状態を図６（Ａ），（Ｂ）に示す。サンバイザー取付ユニット４５は、三面鏡４７と、三面鏡４７に取り付けられる２本のバンド４９と、バンド４９に取り付けられるストッパー５１と、を備える。三面鏡４７およびバンド４９は、実施例１のものと同様の構成である。
【００３４】
ストッパー５１は、図７（Ａ）〜（Ｃ）に示すように、上面部５３と、背面部５５と、正面部５７と、を有する。背面部５５の先端付近には正面部５７側に突出する背面突出部５９が形成されており、正面部５７の先端には背面部５５側に突出する正面突出部６１が形成されている。
【００３５】
またストッパー５１は、バンド４９が挿通可能な挿通穴６３が形成されている。また、ストッパー５１の端部から挿通穴６３に繋がるスリット６５が、挿通穴６３の下方向に形成されている。
【００３６】
ストッパー５１を取り付けた状態の側面図を図６（Ｂ）に示す。バンド４９はスリット６５を通して挿通穴６３に挿入される。この状態ではストッパー５１がバンド４９から脱落しにくく、ストッパー５１によるバンド４９の押し付けができなくなることを抑制できる。また、バンド４９によって正面部５７における挿通穴６３の下方がサンバイザー３に向けて押さえつけられるため、ストッパー５１がサンバイザー３から脱落することを抑制できる。
【００３７】
なお、挿通穴６３は、上面部５３や背面部５５に設けられていてもよいし、複数の箇所に設けられていてもよい。
なお、図８に示すストッパー７１ように、ストッパー７１の側方の端部から正面部７３に形成された挿通穴７５に繋がるようにスリット７７が形成されていてもよい。
【００３８】
［実施例３］
本実施例のサンバイザー取付用ユニット８１は、図９に示すように、２本のバンド８３と、バンド８３に取り付けられる連結部材８５，８７と、図示しない三面鏡と、を備える。バンド８３は、図１（Ａ）と同様に三面鏡に固定されている。
【００３９】
連結部材８５，８７は、バンド８３の長手方向に間隔を空けて固定されているバックルであって、図９の手前側のように互いに係合して連結する連結状態と、奥側のように連結が解除された解除状態と、に遷移可能である。連結状態となると、連結部材８５，８７の間に存在するバンド８３の長さ分、短くなったバンドがサンバイザー３に巻きつけられることとなり、バンド８３の締め付けをきつくすることができ、それによって三面鏡の脱落やずれの発生を抑制することができる。
【００４０】
またサンバイザー３の大きさによってはバンド８３の長さが長すぎたり短すぎたりする場合があるが、本実施例のようにサンバイザー３に巻きつけられる（締め付けに関与する）バンド８３の長さを調整することができることによって、適切な締め付け力でバンド８３をサンバイザー３に巻きつけることができる。
【００４１】
なお、連結部材８５，８７のバンド８３における固定位置は変更できるように構成されていてもよい。また、連結状態と解除状態とを実現するための構成は上述したバックル以外の構成であってもよい。
【００４２】
［実施例４］
本実施例のサンバイザー取付用ユニット９１は、図１０に示すように、２本のバンド９３と、バンド９３に取り付けられる係合部材９５と、図示しない三面鏡と、を備える。バンド９３は、図１（Ａ）と同様に三面鏡に固定されている。
【００４３】
係合部材９５は、バンド９３に係合する係合部９７を２箇所に備えている。その係合部９７の間隔は、バンド９３の配置される間隔、即ち三面鏡においてバンド９３が取り付けられている間隔よりも短く構成されている。そのため、係合部材９５を２本のバンド９３に係合させると、バンド９３の間隔を狭めることとなる。
【００４４】
その結果、バンド９３はより長く伸びた状態でサンバイザー３に巻きつけられることとなり、バンド９３の締め付けをきつくすることができ、それによって三面鏡の脱落やずれの発生を抑制することができる。
【００４５】
なお、係合部材９５における係合部９７の間隔は変更できるように構成されていてもよい。例えば係合部９７同士を連結する連結部９９を長さの異なるものに変更可能としたり、連結部９９の数を変更可能としたりすることが考えられる。
【００４６】
［変形例］
以上、本考案の実施形態について説明したが、本考案は、上記実施形態に何ら限定されることはなく、本考案の技術的範囲に属する限り種々の形態をとり得ることはいうまでもない。
【００４７】
例えば上記各実施例ではサンバイザー取付用ユニットとして、三面鏡をサンバイザーに取り付ける構成を例示したが、三面鏡以外のものに適用してもよい。小型のものを取り付ける場合にはバンドが１本でよい場合もあるため、実施例１〜３の構成については、バンドが１本のものに対して適用することもできる。
【符号の説明】
【００４８】
１…サンバイザー取付ユニット、３…サンバイザー、１１…三面鏡、１３…バンド、１５…ストッパー、２１…中央鏡、２３…側面鏡、２５…ヒンジ、３１…上面部、３３…背面部、３５…正面部、３７…背面突出部、３９…正面突出部、４１…ストッパー、４５…サンバイザー取付ユニット、４７…三面鏡、４９…バンド、５１…ストッパー、５３…上面部、５５…背面部、５７…正面部、５９…背面突出部、６１…正面突出部、６３…挿通穴、６５…スリット、７１…ストッパー、７３…正面部、７５…挿通穴、７７…スリット、８１…サンバイザー取付用ユニット、８３…バンド、８５，８７…連結部材、９１…サンバイザー取付用ユニット、９３…バンド、９５…係合部材、９７…係合部、９９…連結部
【図１】
0003170387.tif 000003
【図２】
0003170387.tif 000004
【図３】
0003170387.tif 000005
【図４】
0003170387.tif 000006
【図５】
0003170387.tif 000007
【図６】
0003170387.tif 000008
【図７】
0003170387.tif 000009
【図８】
0003170387.tif 000010
【図９】
0003170387.tif 000011
【図１０】
0003170387.tif 000012